(57)【要約】【課題】初心者が１人ででも、手軽に髪の毛の弾力を抑え、髪の毛のしなやかさとつやを出し、ヘアースタイルを作りやすくする、または、スタイルを継続しやすくすることができるもので、動力のない簡単な構造で、安価であり、薬剤使用やドライヤーの熱風などに頼ることがないので、髪への痛みの心配がない。【解決手段】金属等重量のある素材を材質とし、手柄部１と、この手柄部１から伸びる櫛の歯部２を備え、各櫛の歯３の先端部分を打撃用の平坦面４とした。【選択図】        図１
2007111295.tif 000002
【特許請求の範囲】
【請求項１】
金属等重量のある素材を材質とし、手柄部と、この手柄部から伸びる櫛の歯部を備え、各の櫛の歯の先端部分を打撃用の平坦面としたことを特徴とする櫛。
【請求項２】
櫛の歯部の櫛の歯は、複数列とする請求項１記載の櫛。
【請求項３】
櫛の歯部の櫛の歯は、梳き方向と反対側が太くなるテーパー形状とする請求項１または請求項２記載の櫛。
【請求項４】
２列の櫛の歯は、列の外側から相互間への方向を梳き方向とする請求項３記載の櫛。
【発明の詳細な説明】
【技術分野】
【０００１】
本発明は、髪の毛の弾力を抑え、髪の毛のしなやかさやつやを出せる櫛に関するものである。
【背景技術】
【０００２】
近年、毛髪に対する美意識及び毛髪処理剤に対する要求は高くなっており、髪の艶、しなやかさ、しっとり感、ソフト感、櫛の通りのよさ、髪のスタイリング保持性等がより一層強く求められている。
【０００３】
特に、美容院等で整髪を行うのに、櫛の通りのよさは重要である。
【０００４】
従来、髪の毛の弾力を抑えたり、髪の毛のしなやかさやつやを出したりするのは、薬剤のトリートメントを使用する方法やドライヤーでブローする方法などがある。
【０００５】
櫛に関しては、毛髪立ち上げを容易に行うことができるものは下記特許文献にあるが、髪の毛の弾力を抑えたり、髪の毛のしなやかさやつやを出したりするものに関しては存在しない。
【特許文献１】特開平１０−１３７０２８号（毛髪立ち上げ方法及び毛髪立ち上げ用櫛）
【特許文献２】特開２００４−１９５１１２号（整髪用毛髪立ち上げ櫛）
【０００６】
また、下記ウェブサイトでは、魔法電動のブラシと称して磁気と電動と金属の相乗効果により静電気を防ぐことでキューティクルをキレイに整え、髪にツヤとうるおいを与えるというものが販売されている。
【非特許文献１】http://www.bidders.co.jp/pitem/53895251  （検索：平成１７年９月７日  魔法の電動ブラシ「ＴＲＵＥ(トゥルー)」）
【発明の開示】
【発明が解決しようとする課題】
【０００７】
前記従来例の薬剤のトリートメントを使用する方法やドライヤーでブローする方法では髪の痛みを惹起するおそれがある。
【０００８】
また、特許文献１，２は毛髪立ち上げを容易に行うことができる櫛に関するものであり、髪の毛の弾力を抑えたり、髪の毛のしなやかさやつやを出したりするものではない。
【０００９】
非特許文献１の電動ブラシは、振動のための機械的な装置を組み込まなければならす、大掛かりなものである。
【００１０】
本発明の目的は、動力のない簡単な構造で、安価であり、また、薬剤使用やドライヤーの熱風などに頼ることがなく、髪への痛みがない状態で弾力を落とし、髪の毛のしなやかさとつやが出せる櫛を提供することにある。
【課題を解決するための手段】
【００１１】
本発明は前記目的を達成するため、第１に、金属等重量のある素材を材質とし、手柄部と、この手柄部から伸びる櫛の歯部を備え、各櫛の歯の先端部分を打撃用の平坦面としたことを要旨とするものである。
【００１２】
第２に、櫛の歯部の櫛の歯は、複数列とすること、第３に、櫛の歯部の櫛の歯は、梳き方向と反対側が太くなるテーパー形状とすること、第４に、２列の櫛の歯は、列の外側から相互間への方向を梳き方向とすることを要旨とするものである。
【００１３】
請求項１記載の本発明によれば、重みのあるコームで、地肌に近い髪の毛の根元を適度にたたくと頭髪の根元の弾力が落ちて、頭髪の弾力やねじれが弱まり、施術後、髪の毛がしなやかになりつやが出、指通りがスムーズになる。特に、金属等重量のある素材を材質として全体に重みを持たせたので、髪の毛の根元に対する打撃力が得られる。
【００１４】
このようにしてから、パーマネントをかけると、根元から立ち上がりやすいものとなる。また、ブロードライする時、髪の毛のボリームを根元から抑えたり、立ち上げが容易になる。
【００１５】
請求項２記載の本発明によれば、櫛の歯部の櫛の歯は、複数列とすることで、各櫛の歯の先端部分の打撃用の平坦面の集合面積も大きいものとなり、地肌に近い髪の毛の根元への打撃面積を多くしてより効果的なものとすることができる。
【００１６】
請求項３記載の本発明によれば、各櫛の歯の先端部分を打撃用の平坦面としたことにより、櫛の歯はある程度の太さを有するものとなるが、梳き方向と反対側が太くなるテーパー形状とすることで、櫛としての梳き作用を確保できる。
【００１７】
請求項４記載の本発明によれば、櫛の歯が２列の場合でも、櫛としての梳き作用を確保できるようになる。
【発明の効果】
【００１８】
以上述べたように本発明の櫛は、初心者が１人ででも、手軽に髪の毛の弾力を抑え、髪の毛のしなやかさとつやを出し、ヘアースタイルを作りやすくする、または、スタイルを継続しやすくすることができるもので、動力のない簡単な構造で、安価であり、薬剤使用やドライヤーの熱風などに頼ることがないので、髪への痛みの心配がないものである。
【発明を実施するための最良の形態】
【００１９】
以下、図面について本発明の実施形態を詳細に説明する。図１は本発明の櫛の１実施形態を示す斜視図、図２は同上背面図、図３は同上正面図、図４は同上平面図、図５は同上底面図で、整髪に用いられる理容用の櫛として、手柄部１と、この手柄部１から伸びる櫛の歯部２を備えているもので、手柄部１は適宜な長さで帯状に延びた櫛背の部分である。
【００２０】
櫛の歯部２は、手柄部１の一側端にその長手に亘って、多数の櫛の歯３を一列に所定の間隔で列設させて形成してある。
【００２１】
本発明の櫛は、ステンレスや鋳物などの金属、もしくは比重の大きな合成樹脂等重量のある素材を材質とする。このような素材による結果、櫛自体として重みのあるものとなる。
【００２２】
前記各櫛の歯３の先端部分は打撃用の平坦面４とした。この平坦面４は各櫛の歯３が並ぶのに際して、高さがすべて揃うもので、集合するとある程度の面積が確保されるのものとなる。
【００２３】
また、櫛の歯３は先細り状に形成され、しかも、梳き方向と反対側が太くなるように傾斜をつけたテーパー形状５とした。
【００２４】
本実施形態では図１に示すように櫛の歯３が一列の場合、梳き方向は１方向のみとしてテーパー形状５は三角形状に近いものとしたが、他の実施形態として梳き方向は前後どちらの面からのでもよいとすることもできる。この場合は、図示は省略するが、前記テーパー形状５は中部が太い菱形形状となる。
【００２５】
さらに、先細り状にする櫛の歯３の形状は図１４に示すように、両側が傾斜するもの、もしくは片側のみの傾斜のもの等種々のタイプが採用できる。
【００２６】
図６〜図１２はアルミのダイがスト（鋳物）で製作した場合を示す。この場合は、テーパー形状５は楕円形に近いものとした。
【００２７】
図１３、図１４は本発明の第２実施形態を示すもので、前記櫛の歯３を２列のものとした。
【００２８】
このように櫛の歯３を２列とした場合は、列の外側から列の相互間への方向を梳き方向とするため、前記テーパー形状５は三角形状に近いものをその頂角が外側に向くように形成する。
【００２９】
図１５〜図２０に、アルミのダイガスト（鋳物）で製作した場合を示す。この場合は、前記図６〜図１１のものを２列の櫛の歯３にしたものである。前記テーパー形状５は楕円状に近いものをその細い弧の部分が外側に向くように形成する。
【００３０】
使用法について説明すると、通常の櫛として髪の毛を梳くことが可能であるが、それに先立ち、平坦面４を利用して地肌に近い髪の毛の根元を適度にたたくと頭髪の根元の弾力が落ちて、頭髪の弾力やねじれを弱めることができる。
【００３１】
かかる施術後は、髪の毛がしなやかになりつやが出、指通りがスムーズになる。
【図面の簡単な説明】
【００３２】
【図１】本発明の櫛の第１実施形態を示す斜視図である。
【図２】本発明の櫛の第１実施形態を示す背面図である。
【図３】本発明の櫛の第１実施形態を示す正面図である。
【図４】本発明の櫛の第１実施形態を示す平面図である。
【図５】本発明の櫛の第１実施形態を示す底面図である。
【図６】本発明の櫛をアルミの鋳物で製作した場合の第１実施形態を示す正面図である。
【図７】本発明の櫛をアルミの鋳物で製作した場合の第１実施形態を示す背面図である。
【図８】本発明の櫛をアルミの鋳物で製作した場合の第１実施形態を示す底面図である。
【図９】本発明の櫛をアルミの鋳物で製作した場合の第１実施形態を示す平面図である。
【図１０】本発明の櫛をアルミの鋳物で製作した場合の第１実施形態を示す右側面図である。
【図１１】本発明の櫛をアルミの鋳物で製作した場合の第１実施形態を示す断面図である。
【図１２】本発明の櫛をアルミの鋳物で製作した場合の第１実施形態を示す斜視図である。
【図１３】本発明の櫛の第２実施形態を示す平面図である。
【図１４】本発明の櫛の第２実施形態を示す底面図である。
【図１５】本発明の櫛をアルミの鋳物で製作した場合の第２実施形態を示す正面図である。
【図１６】本発明の櫛をアルミの鋳物で製作した場合の第１実施形態を示す底面図である。
【図１７】本発明の櫛をアルミの鋳物で製作した場合の第１実施形態を示す平面図である。
【図１８】本発明の櫛をアルミの鋳物で製作した場合の第１実施形態を示す右側面図である。
【図１９】本発明の櫛をアルミの鋳物で製作した場合の第１実施形態を示す断面図である。
【図２０】本発明の櫛をアルミの鋳物で製作した場合の第１実施形態を示す斜視図である。
【図２１】櫛の歯の先端部分の形状を示す説明図である。
【符号の説明】
【００３３】
１…手柄部                    ２…櫛の歯部
３…櫛の歯                    ４…平坦面
５…テーパー形状
【図１】
2007111295.tif 000003
【図２】
2007111295.tif 000004
【図３】
2007111295.tif 000005
【図４】
2007111295.tif 000006
【図５】
2007111295.tif 000007
【図６】
2007111295.tif 000008
【図７】
2007111295.tif 000009
【図８】
2007111295.tif 000010
【図９】
2007111295.tif 000011
【図１０】
2007111295.tif 000012
【図１１】
2007111295.tif 000013
【図１２】
2007111295.tif 000014
【図１３】
2007111295.tif 000015
【図１４】
2007111295.tif 000016
【図１５】
2007111295.tif 000017
【図１６】
2007111295.tif 000018
【図１７】
2007111295.tif 000019
【図１８】
2007111295.tif 000020
【図１９】
2007111295.tif 000021
【図２０】
2007111295.tif 000022
【図２１】
2007111295.tif 000023